(57)【要約】      （修正有）【課題】薄型・大画面テレビの背面下側のスペースを活用するためにラックや家具に搭載したディスプレイ部を安全に回動させる機構を提供する。【解決手段】ディスプレイ部をその背面高さ方向中心部（重心付近）で支持金具と結合し、ディスプレイ部の下端を持って回動する。鑑賞時には約８度前にディスプレイ部を傾斜させれば照明映り込みを軽減できる。収納作業時にはディスプレイ部を後ろ側へ回動すれば重心が移動し、水平状態で安定する。薄型・大画面ディスプレイ部を安全にゆっくり動かせるように、エアダンパーを利用する。エアダンパー内の空気抵抗によりディスプレイ部の回動速度を制御する。薄型・大画面ディスプレイ部を家具の前面上側に設置するチルト機構により大画面テレビが見やすくかつ収納スペースを有効活用できる。【選択図】図２
0003157534.tif 000002
【実用新案登録請求の範囲】
【請求項１】
薄型・大画面ディスプレイ部をその背面高さ方向中心部（重心付近）で回動するようにラックまたは家具の前面上側に掛けた支持金具とピンで結合し、ディスプレイ部を照明の映り込みを軽減する前傾状態（約８度）から収納作業時の水平状態（−９０度以上）まで回動するチルト機構。
【請求項２】
薄型・大画面ディスプレイ部の結合金具と支持基盤との間をエアダンパーで連結し、請求項１の機構をゆっくり安全に回動させる機構。
【考案の詳細な説明】
【技術分野】
【０００１】本考案は薄型・大画面テレビを家具の前面上側に掛けて、鑑賞時の前傾状態（約８度）と収納作業時の水平状態（−９０度以上）までをゆっくりと回動し、所定の位置で安定するチルト機構に関するものである。
【背景技術】
【０００２】デジタル技術の進歩とディスプレイの高画質化により薄型・大画面テレビが多くなった。デジタルテレビ放送は横長画面になり、ディスプレイ部も横長になった。
薄型・大画面テレビの多様な設置スタイルが提案されている。薄くなったディスプレイ部をチューナー部と分離して壁に掛けたり、壁寄せスタンドに取り付けたりする商品も目立つようになった。
薄型・大画面テレビの画面サイズ４２インチのセパレートタイプならディスプレイ部は幅約１０２ｃｍ、高さ約７０ｃｍ。厚さ約４ｃｍ。重さ約１９Ｋｇである。（２００９年現在）
今後、チューナーや録画機能内蔵での軽量化がさらに進むであろう。
しかし、ディスプレイ部が薄く、軽量になったとはいえ大画面テレビの設置には多くのスペースが必要になる。
【考案の概要】
【考案が解決しようとする課題】
【０００３】薄型・大画面テレビを一般家庭に設置する場合には居住スペースと家具などとのバランスを検討する必要がある。
薄型・大画面テレビを壁に掛けるスタイルがある。壁側に固定した壁用金具にディスプレイ部に取り付けた結合金具を引っ掛けて、それぞれの金具をネジで固定する。
壁掛けスタイルの設置はおおむね業者が行うので録画機などの接続変更は頻繁には出来ない。また集合住宅や賃貸住宅に居住している場合は壁用金具を取り付けるために工事が必要になるが、壁の問題で許可されない場合もある。
壁部分が家財道具で占められたような狭い住宅に生活する人々は大画面テレビを設置できる空間が家具の前面上側にある事に気がつく。
据置スタンドは一般的な設置方法だが約９０ｃｍより高い家具の上に載せるのは不安定で危険である。また、一般的な据置スタンドでは照明の映り込みを軽減するために画面を前傾させるチルト機構は不安定になるので省略されている。
薄型・大画面テレビの背面下側の空間を有効活用するためにラックや家具などにディスプレイ部を吊り、捲るように持ち上げる方法がある。
この方法は軽量の薄型・中画面テレビには適しているが、約１９Ｋｇの大画面ディスプレイ部を持ち上げて下側空間への収納作業中、ディスプレイ部を水平状態に保持するのは苦痛である。
本考案はこれらの問題を解決し、薄型・大画面テレビを設置するスペースを有効活用しようとするチルト機構を提供するものである。
【課題を解決するための手段】
【０００４】薄型・大画面テレビの画面サイズや形式は多様である。
本考案では画面サイズが４２インチ、ディスプレイ部が幅約１０２ｃｍ、高さ約７０ｃｍ、奥行約４ｃｍ、重さ約１９ｋｇ。チューナー部が幅約４３ｃｍ、高さ約７ｃｍ、奥行約３２ｃｍ、重さ約５ｋｇのモデルを想定して各図面を作成した。
薄型・大画面ディスプレイ部の背面には壁掛金具などを取り付けるための特殊ネジ穴が４０ｃｍ間隔で四隅にある。（メーカー機種により異なる）汎用性を持たせるため４０ｃｍサイズは多くの機種に採用されている。本考案はこの四隅のネジ穴に結合金具を取り付ける。
ネジ穴の間隔は４０ｃｍであるから逆Ｌ型の結合金具で中心部の隙間を約４４ｃｍ以上にすれば幅４３ｃｍのチューナー部用のスペースが確保できる。（チューナー内蔵テレビの場合はこのスペースは不要）
画面中央部が約１２０〜１６０ｃｍの高さの場合、ソファーなど相対的に低い位置からの鑑賞時にはディスプレイに天井の照明が写り込むので、それを軽減するために約８度前に傾けることができるようにした。
薄型・大画面ディスプレイ部を約８度傾斜した通常の鑑賞位置から奥へ倒し、ディスプレイ背面下側の空間を収納スペースとして活用できるようにディスプレイ部を水平状態（−９０度以上）にする。
約１９ｋｇのディスプレイ部を動かしやすいように、薄型ディスプレイ背面の高さ方向中心部（重心付近）を支点に回動させる。回動半径は４２インチの場合では高さの半分、約３５ｃｍである。
薄型・大画面ディスプレイ部を動かすには下端を持って蓋をめくるように奥へ回す。
こうすればディスプレイ部への外部機器接続作業やディスプレイの背面下側空間を収納スペースとして利用しやすくなる。
回動支点は高さ方向中心部であるが、水平状態では重心が奥の位置になるよう結合ピンの位置を調整する。多様なディスプレイにも対応できるように結合金具には回動支点ピン挿入ホールを数箇所設けておく。
薄型・大画面ディスプレイ部を水平状態（−９０度以上）にすれば重心が回動支点より後側になり安定して静止する。
薄型・大画面テレビを鑑賞するには、ディスプレイ部の下端を持って蓋をするように下げ、さらに照明の映り込み軽減のために約８度前に傾斜させる。この場合ディスプレイ部の重心は回動支点より前側になり、支持基盤の傾斜角セット磁石と接触し、安定して静止する。【０００５】薄型・大画面ディスプレイの重量は約１９ｋｇであり、重心付近で支えるが回動する場合は重心の移動や慣性があるので安全のためにはゆっくり動くように回動速度を制御する。
本考案は「引き戸ドア用エアダンパー」に使われているエアダンパーを利用する。
本考案ではディスプレイ部背面に設置できる「ショートタイプ」のエアダンパーを利用する。実際の取り付けにはエアダンパーの外形寸法、ストローク範囲、ダンパー力の調整を考慮する。これはエアダンパー商品によるので説明は省略する。【０００６】薄型・大画面ディスプレイ部を約９０ｃｍ〜１５０ｃｍの高さにするためにチルト機構の支持基盤をラックや家具などの前面上側に設置する。
薄型・大画面ディスプレイ部は重さ約１９Ｋｇ、幅約１０２ｃｍ、高さ約７０ｃｍである。それを載せるラックや家具も大型なのでチルト機構の組み立ては家庭で行えるようにしておく必要がある。
ディスプレイ側の結合金具は回動支点ピンで支持金具と一体化させる。回動支点ピンはワッシャーを挟んでナットで固定して結合金具の回動を安定させる。
具体的な手順例
▲１▼ディスプレイ部の背面に結合金具をネジで取りつける。
▲２▼エアダンパースタンドを支持基盤にネジで取りつける。
▲３▼支持金具をナットが所定の位置に埋めこまれた支持基盤にネジで取りつける。
（▲２▼と▲３▼はあらかじめ支持基盤一体として成型してあれば不要）
▲４▼エアダンパーをスタンドにピンで連結する。
▲５▼支持基盤をラックまたは家具に木ネジやＬ型金具などでしっかりと固定する。
▲６▼結合金具を下側にしてディスプレイ部を支持基盤の上に載せ、回動支点を合わせるように、逆Ｌ型の結合金具をＵ型の支持金具の間に入れ、回動支点ピンを挿入する。回動支点ピンの一部はテーパになっているので多少のずれは挿入によって修正できる。
▲７▼回動支点ピンと内側にテーパ部を持ったワッシャーで支持金具を挟みネジで固定する。テーパ付きワッシャーにより支持金具を締め付けることはない
▲８▼Ｃ型のスペーサーを結合金具と支持金具の隙間に挿入して左右を安定させる。
▲９▼エアダンパーと結合金具を連結ピンでつなぐ。
▲１０▼ディスプレイ部がエアダンパーの作用により−９０度から８度までゆっくり回動することを確認する。
▲１１▼傾斜角セット磁石を取り付け、ディスプレイ部を希望の角度で静止させる。
約１９Ｋｇのディスプレイ部はラックの前面に出るが、支持基盤を載せたラック内にチューナー部、録画機、その他収納品があればラック全体の重心移動はほとんどなく、ディスプレイ部とラックが転倒することはない（安全のため転倒防止金具等で固定するのが望ましい）。
【考案の効果】
【０００７】考案した薄型・大画面テレビの家具掛けチルト機構はテレビを壁に掛けたような鑑賞スタイルになる。
約８度前に傾斜するチルト機構は大画面ディスプレイ部への照明の映り込みを軽減し良好な視認性を提供する。
ラックや家具にテレビを載せる方式なので転居時などのレイアウト変更も容易である。（壁掛け設置はレイアウト変更が容易でない）
チルト機構を搭載した支持基盤は木ネジやＬ型金具で既設の家具の天板に取り付けることも出来る。
ディスプレイ部の下端を持ち上げる場合、背面高さ方向中心部（重心付近）の回動支点で支えているので負荷は少ない。
水平状態よりやや後方（−９０度以上）へ傾斜するからディスプレイ部の重心が後側に移動してディスプレイ部は安定する。ディスプレイ部が水平になった位置ではエアダンパーの連結ピンは回動支点より下側になるため、エアダンパーのバネの力はディスプレイ上部をさらに下方へ回動しようとする。そのためディスプレイ部は水平状態（−９０度以上）にロックされ、保持する手が開放されて収納作業等を行なえる。
このようにして薄型・大画面ディスプレイ部は家具と一体となる。
薄型・大画面テレビを搭載したラックや家具は収納スペースも確保できるので快適なテレビ鑑賞スタイルと居住空間を両立させる事ができる。
【図面の簡単な説明】
【０００８】
【図１】  薄型・大画面テレビの家具掛けチルト機構外観図  ８度傾斜したディスプレイ部は二点鎖線で表示した。下部のラックまたは家具は説明のための外観図である。
【図２】  ディスプレイ部・金具・エアダンパーの回動位置関係図  ディスプレイ部が支持金具を支点に回動する位置関係を側面図で示す。
【図３】  結合金具の立面図、側面図、正面図  ディスプレイ部の背面には壁掛金具などを取り付けられるように約４０センチ四方の角にネジ穴が付けてある。このネジ穴に合わせて結合金具を設計する。結合金具には回動支点ピンとエアダンパー連結ピンのためのホールを設ける。
【図４】  支持基盤とエアダンパーの正面図、側面図、立面図  逆Ｌ型の結合金具をＵ型の支持金具と回動支点ピンで支える。エアダンパーの本体片側はスタンドの支点ピンで支持基盤に連結する。エアダンパーのストローク側は連結ピンで結合金具と連結する。
【図５】  回動支点部品  外観図  回動支点ピン、Ｃ型スペーサー、テーパ付きワッシャー、ナット  回動支点ピンの傾斜部とテーパ付きワッシャーにより支持金具を挟んでネジを締め付けても支持金具を締め付けない。
【産業上の利用可能性】
【０００９】本考案は薄型・大画面テレビの新しい設置スタイルを提案する。
集合住宅、賃貸住宅は一般的に狭いので薄型・大画面テレビの購入にあたって居住スペースの有効利用について工夫する必要がある。
本考案の薄型・大画面テレビの家具掛けチルト機構は住宅事情により薄型テレビの壁掛けスタイルをあきらめている人たちの悩みを解決する一つの提案である。
本考案のチルト機構により薄型・大画面テレビの背面下側の収納スペースを有効利用することができる。
家具にテレビを載せる「家具掛けスタイル」は新たな需要を喚起するものである。
【図１】
0003157534.tif 000003
【図２】
0003157534.tif 000004
【図３】
0003157534.tif 000005
【図４】
0003157534.tif 000006
【図５】
0003157534.tif 000007
【手続補正書】
【提出日】平成21年11月4日(2009.11.4)
【手続補正１】
【補正対象書類名】実用新案登録請求の範囲
【補正対象項目名】全文
【補正方法】変更
【補正の内容】
【実用新案登録請求の範囲】
【請求項１】
薄型・大画面ディスプレイ部を、その背面高さ方向中心部で回動するようにラックまたは家具の前面上側に掛けた支持金具とピンで結合し、ディスプレイ画面に天井の照明が映り込むのを軽減する前傾状態から、収納作業時の水平状態まで、ディスプレイ部を回動するチルト機構。
【請求項２】
薄型・大画面ディスプレイ部の結合金具と支持基盤との間をエアダンパーで連結し、請求項１の機構をゆっくり安全に回動させる機構。